(57)【要約】      （修正有）【課題】旅行先、買い物先、ビジネス先などで、駅や空港、デパート、催しもの会場などに多数設けられている小型のコインロッカーに、キャリーバッグを迷うことなく安心して確実に収容することができるキャリーバッグを提供する。【解決手段】キャリーバッグの最長寸法方向に交差する断面の外周形状Ｂ，Ｃが、コインロッカー２０の開口縁２１の形状Ｈ，Ｗに対して０．５ｃｍ乃至１０ｃｍ以下の隙間Ｂ１，Ｃ１を有すると共に、最長寸法Ａがコインロッカーの奥行の寸法Ｄに対して０．５ｃｍ乃至１０ｃｍ以下の隙間Ａ１を有するコインロッカーに収容可能なキャリーバッグ。【選択図】図２
0003186123.tif 000002
【実用新案登録請求の範囲】
【請求項１】
最長寸法方向に交差する断面の外周形状が、コインロッカーの開口縁の形状に対して開口縁との隙間が０．５ｃｍ乃至１０ｃｍ以下であると共に、最長寸法がコインロッカーの奥行に対して０．５ｃｍ乃至１０ｃｍ以下の隙間を有するコインロッカーに収容可能なキャリーバッグ。
【請求項２】
請求項1に記載のキャリーバッグにおいて、キャリーバッグの最長寸法方向に交差する断面の外周形状が、コインロッカーの開口縁の縦３０乃至６０ｃｍ、横３０乃至５０ｃｍの寸法に対して、０．５ｃｍ乃至５ｃｍ以下の隙間を有すると共に、コインロッカーの奥行き５０乃至７０ｃｍの寸法に対して、最長寸法が０．５ｃｍ乃至５ｃｍ以下の隙間を有するコインロッカーに収容可能なキャリーバッグ。
【請求項３】
請求項1又は２に記載のキャリーバッグにおいて、最長寸法が高さ方向の寸法であると共に、最長方向に交差する断面がバッグ本体の横断面になるコインロッカーに収容可能なキャリーバッグ。
【請求項４】
請求項1、２又は３に記載のキャリーバッグにおいて、バッグ本体内に起立状態で横向きの間仕切りを設けてあるコインロッカーに収容可能なキャリーバッグ。
【請求項５】
請求項４に記載のキャリーバッグにおいて、間仕切りの高さを可変にしたコインロッカーに収容可能なキャリーバッグ。
【考案の詳細な説明】
【技術分野】
【０００１】
本考案は、コインロッカーに収容可能なキャリーバッグに関する。
【背景技術】
【０００２】
旅行や仕事に行く場合、比較的重い手荷物となる電子機器、書類、衣類、履物、洗面用具などを、キャスターを底面に備えるキャリーバッグに収容して運べば、平滑な通路を運搬する労力が少なくて済み便利である。また、必要とあればキャリーバーを縮小して手荷物として駅などのコインロッカーに収納しておくことができれば便利である。
【考案の概要】
【考案が解決しようとする課題】
【０００３】
手荷物を収容可能なコインロッカーは、旅行、買い物、ビジネスなどで人が集まる駅や空港、デパート、催しもの会場などには必ずと言って良いほど設けられている。コインロッカーの大きさは、大小様々であるが、一連に設置されているコインロッカー施設では、その大小は、開口部の縦の寸法の大小で決まっている場合が多く、小型のコインロッカーでは開口部の縦横の寸法より奥行きの寸法が大きめに設定されている場合が多い。また、ロッカーの数は大型のロッカーよりも利用頻度が多い小型のロッカーが多数を占め、料金も小型のロッカーほど安くなっている。
【０００４】
しかしながら、キャリーバッグの寸法は、バッグに入れる物や使用態様に合わせて比較的自由に作られているから、どれも丁度良い小型のコインロッカーに収納可能であるとは限らない。そのため、容積的には小型のコインロッカーに収納可能であるが、形状が合わないために収納できないことが多々あり、キャリーバッグを、数の少ない大きなコインロッカーに収納しなければならない不都合が生じている。
【課題を解決するための手段】
【０００５】
そこで、本考案は、実用新案登録請求の範囲の請求項１に記載のように、キャリーバッグの最長寸法方向に交差する断面の外周形状が、コインロッカーの開口縁の形状に対して開口縁との隙間が０．５ｃｍ乃至１０ｃｍ以下であると共に、最長寸法がコインロッカーの開口縁から奥行までの寸法に対して０．５ｃｍ乃至１０ｃｍ以下であるコインロッカーに収容可能なキャリーバッグを提供しようとするものである。
【０００６】
また、本考案は、請求項２に記載のように、請求項1に記載のキャリーバッグにおいて、キャリーバッグの最長寸法方向に交差する断面の外周形状が、コインロッカーの開口縁の縦３０乃至６０ｃｍ、横３０乃至５０ｃｍの寸法に対して、０．５ｃｍ乃至５ｃｍ以下の隙間を有すると共に、コインロッカーの奥行き５０乃至７０ｃｍの寸法に対して、最長寸法が０．５ｃｍ乃至５ｃｍ以下の隙間を有するコインロッカーに収容可能なキャリーバッグを提供しようとするものである。
【０００７】
また、本考案は、請求項３に記載のように、請求項1又は２に記載のキャリーバッグにおいて、最長寸法が高さ方向の寸法であると共に、最長方向に交差する断面が横断面になるコインロッカーに収容可能なキャリーバッグを提供しようとするものである。
【０００８】
また、本考案は、請求項４に記載のように、請求項1、２又は３に記載のキャリーバッグにおいて、バッグ本体の起立状態で横向きの間仕切りを設けてあるコインロッカーに収容可能なキャリーバッグを提供しようとするものである。
【０００９】
また、本考案は、請求項５に記載のように、請求項４に記載のキャリーバッグにおいて、間仕切りの高さを変更可能なコインロッカーに収容可能なキャリーバッグを提供しようとするものである。
【００１０】
なお、本考案において、キャリーバッグの寸法の定義は、キャリーバーなどをバッグ本体に収容した最小の状態で、バッグ本体から突出するハンドル（取っ手）又はキャスターなどの突出部を含む寸法を言う。
また、キャリーバッグの最長寸法方向に交差する断面とは、コインロッカーに収容したキャリーバッグを開口縁と平行な面で切断した仮想断面をいう。
【考案の効果】
【００１１】
本考案に係るキャリーバッグによれば、キャリーバッグの最長寸法方向に交差する断面の外周形状が、コインロッカーの開口縁の形状に対して開口縁との隙間が０．５ｃｍ乃至１０ｃｍ以下であると共に、最長寸法がコインロッカーの開口縁から奥行までの寸法に対して０．５ｃｍ乃至１０ｃｍ以下であるから、キャリーバッグをコインロッカ−の開口部に向かって縦長に持って先端から真っ直ぐに容易に押し込むことができるから、旅行先、買い物先、ビジネス先などで、駅や空港、デパート、催しもの会場などに多数設けられている小型のコインロッカーに、キャリーバッグを迷うことなく安心して確実に収容することができる効果がある。
【００１２】
また、本考案は、請求項２に記載のように、請求項1に記載のキャリーバッグにおいて、キャリーバッグの最長寸法方向に交差する断面の外周形状が、コインロッカーの開口縁の縦３０乃至６０ｃｍ、横３０乃至５０ｃｍの寸法に対して、０．５ｃｍ乃至５ｃｍ以下の隙間を有すると共に、コインロッカーの奥行き５０乃至７０ｃｍの寸法に対して、最長寸法が０．５ｃｍ乃至５ｃｍ以下の隙間を有するコインロッカーに収容可能なキャリーバッグを提供することができる効果がある。
【００１３】
また、本考案は、請求項３に記載のように、請求項1又は２に記載のキャリーバッグにおいて、最長寸法が高さ方向の寸法であると共に、最長方向に交差する断面が横断面になるコインロッカーに収容可能なキャリーバッグを提供することができる効果がある。
【００１４】
また、本考案は、請求項４に記載のように、請求項1、２又は３に記載のキャリーバッグにおいて、起立状態で横向きの間仕切りを設けてあるコインロッカーに収容可能なキャリーバッグの構成を有するから、コインロッカー内或いは取り出したときに収容物がキャリーバッグ内で上下に移動しない効果がある。
【００１５】
また、本考案は、請求項５に記載のように、請求項４に記載のキャリーバッグにおいて、間仕切りの高さを変更可能なコインロッカーに収容可能なキャリーバッグの構成を有することにより、収容物に合わせて仕切りの高さを随時変更してキャリーバッグをコインロッカーに収納することができる効果がある。
【図面の簡単な説明】
【００１６】
【図１】本考案に係わるキャリーバッグの一実施例の概略図。
【図２】本考案のキャリーバッグとコインロッカーの関係を説明する概略説明図。
【図３】本考案の他の実施例の要部を示す概略説明図。
【考案を実施するための形態】
【００１７】
以下図示の実施例に基づいて本考案に係る小型のコインロッカーに収納可能なキャリーバッグの説明をする。
【実施例１】
【００１８】
図１の実施例において、１０はキャリーバッグで、そのバッグ本体１の底面にキャスター２を備えていると共に、前面に引出収納自在なキャリーバー３を備えている。バッグ本体１は型崩れのし難い全体が硬質若しくは硬質の型枠を有するものが好ましい。キャリーバー３の先端には取っ手４が設けてある。バッグ本体１の天面５及び側面６には取っ手７が設けてある。なお、図１では側面の取っ手７は反対側にあって見えていない。また、この図示の実施例ではキャリーバー３と取っ手４はバッグ本体１の天面５の高さまで収納可能であり、収納状態ではバッグ本体１の高さは天面５に設け取っ手７の高さになる。バッグ本体１の後面にはファスナーなどの開閉部８を縁辺に備えた蓋体９が設けてあり、蓋体９には小物入れなどの収納口１１が一体に設けてある。
【００１９】
図１の実施例において、キャリーバッグ１０の最長寸法Aはキャスター２から天面５の取っ手７までの高さにある。また、最長寸法A方向（高さ方向）に交差する断面は、バッグ本体１のキャリーバー３の有る前面と蓋体９の有る後面との寸法B、及び、取っ手７の有る側面と無い側面６との寸法Cによって形成される断面であり、その断面の外周形状は、天面５及び底面の形状より取っ手７及び蓋体９の突出部を含む寸法だけ大きい正方形又は長方形の外周形状になっている。
【００２０】
図２において、本考案に係る小型のコインロッカー２０の寸法は、開口縁２１の高さH、横幅W、に対して奥行きがDである。図２の実施例では、開口縁２１は高さHより横幅Wが大きく、奥行きDが更に横幅Wの１．７倍程度である。駅などの設置されている代表的な小型のコインロッカーの一例では、開口縁２１の高さＨが３１６ｍｍ又は５５０ｍｍ、横幅Ｗが３５５ｍｍ、に対して奥行きDが５７５ｍｍである。
【００２１】
図１の実施例において、キャリーバッグ１０のキャスター２から天面５の取っ手７までの高さの最長寸法Aは、コインロッカー２０の開口縁２１から奥行までの寸法Dに対して隙間A１が０．５ｃｍ乃至１０ｃｍ以下に設けてある。また、バッグ本体１の横断面の外周形状の前面と後面との寸法Bは、開口縁２１の高さHに対して隙間B１が０．５ｃｍ乃至１０ｃｍ以下に設けてある。バッグ本体１の横断面の外周形状の側面６と取っ手のある側面との寸法Cは、開口縁２１の横幅Wに対して隙間C１が０．５ｃｍ乃至１０ｃｍ以下に設けてある。
【００２２】
このことから、キャリーバッグ１０をコインロッカ−２０の開口縁２１に向かって縦長に天面５の取っ手７を持ってキャスター２のある底面から、隙間B1及びC1を利用して真っ直ぐに容易に押し込むことができると共に、天面５の取っ手７も奥行きとの隙間A1を利用して開口縁２１内に収納することができる。
【実施例２】
【００２３】
キャリーバッグ１０の最長寸法Aがキャスター２から天面５の取っ手７までの高さで、最長寸法A方向（高さ方向）に交差する断面は、取っ手７の有る側面と無い側面６との寸法B、バッグ本体１のキャリーバー３の有る前面と蓋体９の有る後面との寸法Cの断面の外周形状の場合は、キャリーバッグ１０を横倒しにして、取っ手のある側面を上向きにして、天面５の取っ手７を持ってキャスター２のある底面から、隙間B1及びC1を利用して真っ直ぐに容易に押し込むことができると共に、天面５の取っ手７も奥行きとの隙間A1を利用して開口縁２１内に収納することができる。
【実施例３】
【００２４】
キャリーバッグ１０が、図１の実施例において、取っ手７の有る側面と無い側面６との横幅が最長寸法Aで、高さが寸法C、前面と蓋面の幅の寸法がBの場合には、図２において、キャリーバッグ１０を前面を下、蓋面９を上に横向きにして側面６から開口縁２１内にキャスター２と天面５の取っ手７を左右縦向きにして挿入し、コインロッカー２０内に収容することができる。
【実施例４】
【００２５】
キャリーバッグ１０が、図１の実施例において、取っ手７の有る側面と無い側面６との横幅が最長寸法Aで、高さが寸法B、前面と蓋面の幅の寸法がCの場合には、図２において、キャリーバッグ１０を立てたまま横向きにしてキャスター２を下、天面５を上にして、側面６から開口縁２１内に挿入し、コインロッカー２０内に収容することができる。
【実施例５】
【００２６】
キャリーバッグ１０が、図１の実施例において、前面と蓋面の幅の寸法が最長寸法Aで、高さが寸法Bで、取っ手７の有る側面と無い側面６との横幅の寸法がCの場合には、図２において、キャリーバッグ１０を立向きにして前面又は後面９から開口縁２１内にキャスター２を下、天面５を上側に挿入してコインロッカー２０内に収容することができる。
【実施例６】
【００２７】
キャリーバッグ１０が、図１の実施例において、前面と蓋面の幅の寸法が最長寸法Aで、取っ手７の有る側面と無い側面６との横幅の寸法がB、高さが寸法Cの場合には、図２において、キャリーバッグ１０を横向きにして前面又は後面９から開口縁２１内に、側面６が底側、キャスター２と天面５が側面に来るように挿入してコインロッカー２０内に収容することができる。
【実施例７】
【００２８】
図３の実施例において、キャリーバッグ１０のバッグ本体１内には、起立状態で天面５にほぼ平行に横向きの間仕切り３０を設けてある。
間仕切り３０はバッグ本体１の内側面に固定して設けることもできるが、縦方向に高さを可変に設けることもできる。  高さを可変にする構成のものには、取付位置をずらして変更するタイプと、離脱を含めて着脱して取付位置を変更するタイプがある。
上記間仕切り３０の取付手段はフックやファスナーなどの従来公知の種々の手段を用いることが可能である。
【符号の説明】
【００２９】
１      バッグ本体
２      キャスター
３      キャリーバー
４      取っ手
５      天面
６      側面
７      取っ手
８      開閉部
９      蓋体
１０    キャリーバッグ
１１    収納口
２０    コインロッカー
２１    開口縁
３０    間仕切り
【図１】
0003186123.tif 000003
【図２】
0003186123.tif 000004
【図３】
0003186123.tif 000005